(57)【要約】【課題】空気清浄装置において、電気集塵手段の空気清浄能力が著しく低下したときも、汚れ検出手段で空気の汚れを的確に検出可能とし、換気装置を正常に作動可能とする。【解決手段】制御手段１０で全体を制御し、送風手段１３を駆動して空気を吸い込み、汚れ検出手段１１で空気の汚れを検出してその検出結果に基づき、電気集塵手段１２に高圧を印加して、吸い込んだ空気を清浄するとともに、切替手段１５を介して、別途備える換気装置Ｂを作動して換気を行う。そのような空気清浄装置において、電気集塵手段１２の空気清浄能力が著しく低下してその電気集塵手段への高圧印加を停止したとき、制御手段１０により送風手段１３を駆動して汚れ検出手段１１への送風を継続し、汚れ検出手段による汚れ検出機能は維持してその検出結果に基づき換気装置Ｂを作動する。【選択図】        図１
2004330061.tif 000002
【特許請求の範囲】
【請求項１】
送風手段を駆動して空気を吸い込み、汚れ検出手段で空気の汚れを検出してその検出結果に基づき、電気集塵手段に高圧を印加して、吸い込んだ空気を清浄するとともに、別途備える換気装置を作動する空気清浄装置において、
前記電気集塵手段の空気清浄能力が著しく低下してその電気集塵手段への高圧印加を停止したとき、前記汚れ検出手段による汚れ検出機能は維持する制御手段を備えることを特徴とする、空気清浄装置。
【請求項２】
前記電気集塵手段への高圧印加を停止したとき、そのことを報知する報知手段を備えることを特徴とする、請求項１に記載の空気清浄装置。
【請求項３】
前記電気集塵手段への高圧印加を停止したとき、前記制御手段により前記送風手段を駆動して前記汚れ検出手段への送風を継続することを特徴とする、請求項１または２に記載の空気清浄装置。
【請求項４】
前記電気集塵手段への高圧印加を停止したとき、前記制御手段により前記送風手段とは別の送風手段を駆動して前記汚れ検出手段への送風を継続することを特徴とする、請求項１または２に記載の空気清浄装置。
【請求項５】
人検出手段を備え、その人検出手段の検出結果も考慮して前記換気装置を制御することを特徴とする、請求項１ないし４のいずれか１に記載の空気清浄装置。
【発明の詳細な説明】
【０００１】
【発明の属する技術分野】
この発明は、吸気ファン等の送風手段を駆動して装置本体内に空気を吸い込み、吸い込んだ空気の汚れを汚れ検出手段で検出してその検出結果に基づき、電気集塵手段に高圧を印加して空気中の塵や埃などを吸着し、吸い込んだ空気を清浄して外部へと排出する空気清浄装置に関する。
【０００２】
【従来の技術】
従来、この種の空気清浄装置の中には、汚れ検出手段の検出結果に基づき、電気集塵手段に高圧を印加して、吸い込んだ空気を清浄する一方、空気清浄装置とは別途備える換気装置を作動して換気を行うものがある。
【０００３】
【特許文献１】特開平５−１５７２８号公報
例えば特許文献１に記載されるものであり、図４に示すように、制御手段１に接続して送風手段２と高圧電源手段３と汚れ検出手段４を備え、高圧電源手段３にはさらに電気集塵手段５を接続していた。電気集塵手段５は、複数のイオン化線５ａを集塵極板５ｂに対向して設け、全体で空気清浄装置ａを構成していた。
【０００４】
空気清浄装置ａには、互いの制御手段１・６を電気的に接続して換気装置ｂを備えていた。換気装置ｂには、制御手段６と接続して給気ファン７と排気ファン８を設けていた。
【０００５】
そして、制御手段１で送風手段２を駆動して吸気口９ａから内部に吸い込んだ空気を排気口９ｂから外部へと排出していた。内部に吸い込んだ空気は、汚れ検出手段４で汚れを検出し、空気が汚れているときは、制御手段１で高圧電源手段３を用いて電気集塵手段５に高圧を印加し、空気中の塵や埃をイオン化して集塵極板５ｂに吸着し、空気を清浄するとともに、別途備える換気装置ｂの給気ファン７と排気ファン８を作動して室内の空気を換気していた。
【０００６】
【発明が解決しようとする課題】
ところが、このような空気清浄装置ａでは、例えば、イオン化線５ａが断線したり、集塵極板５ｂの変形等により高電圧リークや放電を発生したり、長期間の使用によって汚れが蓄積したり、高湿度により高圧リークを生じたりして、電気集塵手段５の空気清浄能力が著しく低下することがあった。
【０００７】
このようなときは、従来、空気清浄装置ａの駆動を停止して制御手段１による制御を全面的に停止し、電圧電源手段３による電気集塵手段５への高圧印加を停止する一方、送風手段２の駆動も停止していた。
【０００８】
このため、空気清浄装置ａ内で空気の流れがなくなり、汚れ検出手段４で空気の汚れを的確に検出することができなくなり、汚れ検出手段４の検出結果に基づき作動する換気装置ｂの正常な作動を妨げて必要以上に換気したり、反対に換気不足で室内にいる人が不快感を感じたりすることとなった。
【０００９】
そこで、この発明の第１の目的は、空気清浄装置において、電気集塵手段の空気清浄能力が著しく低下したときも、汚れ検出手段で空気の汚れを的確に検出可能とし、換気装置を正常に作動可能とすることにある。
【００１０】
この発明の第２の目的は、電気集塵手段の空気清浄能力が著しく低下したとき、直ちに報知して迅速にメンテナンスを行い得るようにするとともに、上述の第１の目的を達成することにある。
【００１１】
この発明の第３の目的は、部品点数を増加することなく、上述の第１の目的を達成することにある。
【００１２】
この発明の第４の目的は、省電力化を図るとともに、上述の第１の目的を達成することにある。
【００１３】
この発明の第５の目的は、無駄な換気をなくすとともに、上述の第１の目的を達成することにある。
【００１４】
【課題を解決するための手段】
そのため、この発明は、上記第１の目的を達成すべく、
送風手段を駆動して空気を吸い込み、汚れ検出手段で空気の汚れを検出してその検出結果に基づき、電気集塵手段に高圧を印加して、吸い込んだ空気を清浄するとともに、別途備える換気装置を作動する空気清浄装置において、
電気集塵手段の空気清浄能力が著しく低下してその電気集塵手段への高圧印加を停止したとき、汚れ検出手段による汚れ検出機能は維持する制御手段を備える、ことを特徴とする。
【００１５】
そして、電気集塵手段の空気清浄能力が著しく低下してその電気集塵手段への高圧印加を停止したとき、制御手段を働かせて汚れ検出手段による汚れ検出機能を維持し、その汚れ検出手段の検出結果に基づき換気装置を制御する。
【００１６】
請求項２に記載の発明は、上記第２の目的を達成すべく、請求項１に記載の空気清浄装置において、電気集塵手段への高圧印加を停止したとき、そのことを報知する報知手段を備える、ことを特徴とする。
【００１７】
そして、電気集塵手段への高圧印加を停止したとき、そのことを報知手段を用いて報知する。
【００１８】
請求項３に記載のものは、上記第３の目的を達成すべく、請求項１または２に記載の空気清浄装置において、電気集塵手段への高圧印加を停止したとき、制御手段により送風手段を駆動して汚れ検出手段への送風を継続する、ことを特徴とする。
【００１９】
そして、電気集塵手段への高圧印加を停止したとき、制御手段により送風手段を駆動して汚れ検出手段への送風を継続する。
【００２０】
請求項４に記載のものは、上記第４の目的を達成すべく、請求項１または２に記載の空気清浄装置において、電気集塵手段への高圧印加を停止したとき、制御手段により前記送風手段とは別の送風手段を駆動して汚れ検出手段への送風を継続する、ことを特徴とする。
【００２１】
そして、電気集塵手段への高圧印加を停止したとき、制御手段を働かせて、空気清浄のために空気を吸い込む前記送風手段とは別の送風手段を駆動して汚れ検出手段への送風を継続する。
【００２２】
請求項５に記載のものは、上記第５の目的を達成すべく、請求項１ないし４のいずれか１に記載の空気清浄装置において、人検出手段を備え、その人検出手段の検出結果も考慮して換気装置を制御する、ことを特徴とする。
【００２３】
そして、電気集塵手段への高圧印加を停止したとき、制御手段を働かせて汚れ検出手段による汚れ検出機能を維持し、人検出手段の検出結果も考慮して汚れ検出手段の検出結果に基づき換気装置を制御する。
【００２４】
【発明の実施の形態】
以下、図面を参照しつつ、この発明の実施の形態につき説明する。
図１には、この発明による空気清浄装置の全体構成を示す。
【００２５】
図中符号Ａは、空気清浄装置である。空気清浄装置Ａ内には、全体を制御する制御手段１０に接続して、汚れ検出手段１１、電気集塵手段１２、送風手段１３、報知手段１４を設けるとともに、外部に別途備える換気装置Ｂの作動を切り替える切替手段１５を設ける。
【００２６】
そして、送風手段１３で形成する空気流路１６に沿って、最も上流に汚れ検出手段１１、真ん中に電気集塵手段１２、最下流に送風手段１３を配置する。
【００２７】
汚れ検出手段１１は、空気流路１６を通る空気の汚れ具合をリアルタイムで検出して制御手段１０に向けて検出信号を出力する。電気集塵手段１２は、図示省略するが、例えばイオン化線と集塵極板とで構成し、高圧を印加して、空気流路１６を通る空気中の埃や塵などの異物を吸着して空気を清浄する。送風手段１３は、ファン等で、汚れ検出手段１１の検出結果に応じて回転数を制御し、空気を空気清浄装置Ａ内に取り込み、また空気清浄装置Ａ内から排出する。
【００２８】
そして、この空気清浄装置Ａの駆動時は、制御手段１０で全体を制御し、まず送風手段１３を駆動して空気を吸い込み、汚れ検出手段１１で空気の汚れを検出し、その検出信号に基づき、送風手段１３の回転数を制御する一方、電気集塵手段１２に電圧を印加し、吸い込んだ空気を清浄して排出するとともに、制御手段１０から制御信号を受けて切替手段１５で電源スイッチをオンにし、ＡＣ１００Ｖを換気装置Ｂに供給して室内の換気を行う。
【００２９】
ところで、図示空気清浄装置Ａでは、例えば、電気集塵手段１２のイオン化線が断線したり、集塵極板の変形等により高電圧リークや放電を発生したり、長期間の使用によって汚れが蓄積したり、高湿度により高圧リークを生じたりして、電気集塵手段１２の空気清浄能力が著しく低下したとき、安全のため電気集塵手段１２への高圧印加を停止するようにしている。
【００３０】
そして、電気集塵手段１２への高圧印加を停止したときは、制御手段１０からの信号を受けて、そのことを報知手段１４で、例えば表示を点滅したり、表示色を変えたりして報知する。また、制御手段１０により送風手段１３を駆動して汚れ検出手段１１への送風を継続し、汚れ検出手段１１による汚れ検出機能を維持する。
【００３１】
これにより、送風手段１３で少なくとも汚れを検出可能な風量送風して汚れ検出手段１１で空気の汚れを検出し、その検出結果に基づき切替手段１５で電源スイッチをオンオフして換気装置Ｂを制御し、電気集塵機能は停止するものの、汚れ検出機能は働いて、空気の汚れのひどいときには、換気装置Ｂは継続して作動するようにし、室内にいる人の不快感を軽減する。
【００３２】
なお、上述した例では、電気集塵手段１２は、電気集塵機能だけに限らず、併せて脱臭機能も併せ持つようにしてもよい。また、送風手段１３は、空気流路１６の最下流に配置したが、もちろん最下流に限らず、最上流に配置してもよいし、中間に配置してもよい。報知手段１４は、視覚を介して報知するものに限らず、例えば警報音等のように聴覚を介して報知するものであってもよい。
【００３３】
図２には、この発明による空気清浄装置の他例の全体構成を示す。
この図２に示す例では、図１に示す空気清浄装置Ａに人検出手段１８を付加したものである。
【００３４】
そして、この人検出手段１８の検出結果も考慮して切替手段１５で電源スイッチをオンオフし、換気装置Ｂを制御するようにしたものである。これにより、室内に人がいるときには、送風手段１３を最小風量で運転して換気装置Ｂを作動し、室内の空気がきれいになって後、換気装置Ｂの作動を停止するようにし、人がいないときは送風手段１３の駆動を停止して、人検出手段１８で人を検出するまで換気装置Ｂの作動を停止し、無駄な換気をなくすようにする。
【００３５】
なお、図２においては、図１の対応部分に使用した符号をそのまま使用するようにし、重複説明を省略する。
【００３６】
図３には、この発明による空気清浄装置のさらに他例の部分構成を示す。
【００３７】
この図３に示すように、空気清浄を行うために空気を取り込む送風手段１３とは別に小型の送風手段２０を備え、電気集塵手段１２への高圧印加を停止したとき、制御手段１０によりこの送風手段２０を駆動して、空気清浄を行う空気流路１６とは別の空気流路２１に空気を流し、汚れ検出手段１１への送風を継続するようにしてもよい。
【００３８】
なお、この場合には、シャッタ２２を設け、電気集塵手段１２への高圧印加を停止したとき、制御手段１０によりそのシャッタ２２を閉じて空気流路１６を通して電気集塵手段１２に空気が流れることを阻止するようにする。
【００３９】
【発明の効果】
以上説明したとおり、この発明によれば、電気集塵手段の空気清浄能力が著しく低下してその電気集塵手段への高圧印加を停止したとき、制御手段を働かせて汚れ検出手段による汚れ検出機能を維持し、その汚れ検出手段の検出結果に基づき換気装置を制御するので、電気集塵機能は停止するものの、汚れ検出機能は働いて、空気の汚れのひどいときには、換気装置は継続して作動するようにし、室内にいる人の不快感を軽減することができる。
【００４０】
請求項２に記載の発明によれば、電気集塵手段への高圧印加を停止したとき、そのことを報知手段を用いて報知するので、ユーザーは電気集塵手段の異状を知ることができ、迅速にメンテナンスを行うことができる。
【００４１】
請求項３に記載の発明によれば、電気集塵手段への高圧印加を停止したとき、制御手段により空気清浄に用いる送風手段を駆動して汚れ検出手段への送風を継続するので、空気清浄に用いる送風手段を利用して部品点数を増加することなく、汚れ検出手段による汚れ検出機能を維持することができる。
【００４２】
請求項４に記載の発明によれば、電気集塵手段への高圧印加を停止したとき、制御手段を働かせて、空気清浄に用いる送風手段とは別の送風手段を駆動して汚れ検出手段への送風を継続するので、空気清浄に用いる送風手段とは別の送風装置を用い、その別の送風装置により、汚れ検出手段が反応できる最低限の風量を送風するように設定することで、省電力化を図ることができる。
【００４３】
請求項５に記載の発明によれば、電気集塵手段への高圧印加を停止したとき、制御手段を働かせて汚れ検出手段による汚れ検出機能を維持し、人検出手段の検出結果も考慮して汚れ検出手段の検出結果に基づき換気装置を制御するので、室内に人がいるときに換気を行うようにし、無駄な換気をなくすことができる。
【図面の簡単な説明】
【図１】この発明による空気清浄装置の全体構成を示すブロック図である。
【図２】この発明による空気清浄装置の他例の全体構成を示すブロック図である。
【図３】さらに他例の部分構成を示すブロック図である。
【図４】従来の空気清浄装置の全体構成を示すブロック図である。
【符号の説明】
Ａ    空気清浄装置
Ｂ    換気装置
１０    制御手段
１１    汚れ検出手段
１２    電気集塵手段
１３    送風手段
１４    報知手段
１５    切替手段
１６    空気流路
１８    人検出手段
２０    別の送風手段
２１    別の空気流路
２２    シャッタ
【図１】
2004330061.tif 000003
【図２】
2004330061.tif 000004
【図３】
2004330061.tif 000005
【図４】
2004330061.tif 000006